(57)【要約】【課題】ライティングダクトに照明器具を装着するための手数を削減して容易に装着できるようにし、しかも、不完全な装着を防止して、地震等の衝撃があった場合にライティングダクトから照明器具が不用意に脱落することを防止する。【解決手段】装着された照明器具２に対して給電可能であり、かつ、照明器具２の装着位置を長手方向に沿って移動可能としたライティングダクトにおいて、長手方向に沿って側部に形成され、少なくとも一端部が端部まで形成されて開放部１３を形成し、前記照明器具２の取付突部２４が前記開放部１３から進入及び退出可能であるとともに、前記取付突部２４を移動自在に係合させる取付溝部１２を備えたことを特徴とするライティングダクト１とする。【選択図】図１
2009032572.tif 000002
【特許請求の範囲】
【請求項１】
装着された照明器具に対して給電可能であり、かつ、照明器具の装着位置を長手方向に沿って移動可能としたライティングダクトにおいて、
長手方向に沿って側部に形成され、少なくとも一端部が端部まで形成されて開放部が形成され、前記照明器具に形成された取付突部が前記開放部から進入及び退出可能であるとともに、前記取付突部を移動自在に係合させる取付溝部、
を備えたことを特徴とするライティングダクト。
【請求項２】
前記取付溝部は、前記照明器具に形成された取付突部の前記開放部側に当接する当接部と、前記照明器具の取付突部を上方に退避させつつ前記当接部上を通過可能とする退避部と、一端部が前記退避部に連通され、他端部が前記開放部である案内部と、
を備えたことを特徴とする請求項１に記載のライティングダクト。
【請求項３】
装着されたライティングダクトから給電を受けることが可能で、かつ、その装着位置を前記ライティングダクトの長手方向に沿って移動可能とした照明器具において、
前記ライティングダクトを挿通させる間隔を確保した挿通部と、前記挿通部に形成され、ライティングダクトの側部に形成される取付溝部に係合する取付突部と、
を備えたことを特徴とする照明器具。
【請求項４】
ライティングダクトの長手方向に沿って側部に形成された取付溝部には、給電用電極を備えた給電用凹部が設けられ、
照明器具に形成されて前記ライティングダクトの取付溝部に係合する取付突部には、集電用端子を備えた集電用凸部が設けられ、
前記取付溝部に前記取付突部が係合するとともに、前記給電用凹部に前記集電用凸部が嵌合することにより、前記給電用電極と前記集電用端子とが接触して、前記ライティングダクトから前記照明器具に給電されることを特徴とする、ライティングダクトと照明器具との装着構造。
【発明の詳細な説明】
【技術分野】
【０００１】
本発明は、照明器具を装着し、給電を行うライティングダクト、及びライティングダクトに装着され、給電を受ける照明器具に関する。
【背景技術】
【０００２】
従来、ライティングダクトと照明器具とから構成される照明装置が知られている。ライティングダクトは、装着された照明器具に対して給電可能であり、かつ、照明器具の装着位置を長手方向に沿って移動可能である。従来、照明器具はプラグを介してライティングダクトに装着されるのが一般的であり、プラグはライティングダクト下端部に形成された開口部に挿脱可能な係合片を有している。照明器具をライティングダクトに装着する場合は、プラグの係合片をライティングダクト下端部の開口部に挿入し、続いて係合片を９０度回動させて、係合片に設けた集電用端子をライティングダクト内の給電用電極に押圧接触させ、ライティングダクトの開口部から係合片が抜脱しないようにして装着している（例えば、特許文献１参照。）。
【特許文献１】登録実用新案第３１１０９２５号公報
【発明の開示】
【発明が解決しようとする課題】
【０００３】
しかしながら、上記従来のライティングダクトと照明器具との装着構造では、プラグの係合片をライティングダクト下端部の開口部に挿入する工程と、プラグの係合片を９０度回動させる工程の２工程が必要であり、ライティングダクトに対する照明器具の装着に手数を要するという問題があった。また、係合片が確実に９０度回動されておらず、装着が不完全である場合には、ライティングダクトに衝撃があった場合や、地震発生時に照明器具がライティングダクトから不用意に脱落するおそれがあるという問題もあった。
【０００４】
本発明は、前記課題を解消するためになされたものであり、ライティングダクトに照明器具を装着するための手数を削減して容易に装着できるようにし、しかも、不完全な装着を防止して、地震等の衝撃があった場合にライティングダクトから照明器具が不用意に脱落することの防止を目的とする。
【課題を解決するための手段】
【０００５】
本発明の解決しようとする課題は以上の如くであり、次にこの課題を解決するための手段を説明する。
【０００６】
即ち、請求項１に記載の発明では、装着された照明器具に対して給電可能であり、かつ、照明器具の装着位置を長手方向に沿って移動可能としたライティングダクトにおいて、
長手方向に沿って側部に形成され、少なくとも一端部が端部まで形成されて開放部が形成され、前記照明器具に形成された取付突部が前記開放部から進入及び退出可能であるとともに、前記取付突部を移動自在に係合させる取付溝部、
を備えたことを特徴とするライティングダクトとする。
【０００７】
請求項２に記載の発明では、請求項１に記載の照明装置において、
前記取付溝部は、前記照明器具に形成された取付突部の前記開放部側に当接する当接部と、前記照明器具の取付突部を上方に退避させつつ前記当接部上を通過可能とする退避部と、一端部が前記退避部に連通され、他端部が前記開放部である案内部と、を備えたことを特徴とするライティングダクトとする。
【０００８】
請求項３に記載の発明では、装着されたライティングダクトから給電を受けることが可能で、かつ、その装着位置を前記ライティングダクトの長手方向に沿って移動可能とした照明器具において、
前記ライティングダクトを挿通させる間隔を確保した挿通部と、前記挿通部に形成され、ライティングダクトの側部に形成される取付溝部に係合する取付突部と、を備えたことを特徴とする照明器具とする。
【０００９】
請求項４に記載の発明では、ライティングダクトの長手方向に沿って側部に形成された取付溝部には、給電用電極を備えた給電用凹部が設けられ、
照明器具に形成されて前記ライティングダクトの取付溝部に係合する取付突部には、集電用端子を備えた集電用凸部が設けられ、
前記取付溝部に前記取付突部が係合するとともに、前記給電用凹部に前記集電用凸部が嵌合することにより、前記給電用電極と前記集電用端子とが接触して、前記ライティングダクトから前記照明器具に給電されることを特徴とする、ライティングダクトと照明器具との装着構造とする。
【発明の効果】
【００１０】
本発明の効果として、以下に示すような効果を奏する。
【００１１】
請求項１に記載の発明によれば、ライティングダクトは、長手方向に沿って側部に形成され、少なくとも一端部が端部まで形成されて開放部が形成され、前記照明器具に形成された取付突部が前記開放部から進入及び退出可能であるとともに、前記取付突部を移動自在に係合させる取付溝部、を備えているため、ライティングダクトに照明器具を装着する場合、照明器具の取付突部をライティングダクトの側部に形成した取付溝部の開放部から進入させる工程を行うだけで、照明器具の取付突部をライティングダクトの取付溝部に係合させ、ライティングダクトに照明器具を確実に装着することができる。従って、ライティングダクトに照明器具を装着するための手数を削減して容易に装着することができる。
また、照明器具の交換等のためにライティングダクトから照明器具を取り外す必要がある場合には、照明器具をライティングダクトの開放部側に移動させ、照明器具の取付突部をライティングダクトの取付溝部の開放部から退出させる工程を行うだけで、ライティングダクトから容易に照明器具を取り外すことができる。
【００１２】
請求項２に記載の発明によれば、ライティングダクトに形成した取付溝部は、照明器具に形成された取付突部の開放部側に当接する当接部と、照明器具の取付突部を上方に退避させつつ当接部上を通過可能とする退避部と、一端部が退避部に連通され、他端部が開放部である案内部と、を備えているため、ライティングダクトに装着された照明器具は、衝撃等によってライティングダクトの案内部側に移動した場合であっても、照明器具の取付突部が取付溝部に形成した当接部に当接することにより、照明器具がライティングダクトから不用意に脱落することを防止することができる。
また、照明器具の交換等のためにライティングダクトから照明器具を取り外す必要がある場合には、照明器具の取付突部が当接部に当接する位置で、照明器具を上方に移動させることにより、取付突部を退避部に移動させて当接部の上を通過させ、案内部から取付突部を退出させることができるため、照明器具をライティングダクトから容易に取り外すことができる。
【００１３】
請求項３に記載の発明によれば、照明器具は、ライティングダクトを挿通させる間隔を確保した挿通部と、挿通部に形成され、ライティングダクトの側部に形成される取付溝部に係合する取付突部と、を備えているため、照明器具をライティングダクトに装着する場合、挿通部にライティングダクトを挿通させつつ、挿通部に形成された取付突部をライティングダクト側部の取付溝部に係合する工程を行うだけで、照明器具をライティングダクトに確実に装着することができる。従って、照明器具をライティングダクトに装着するための手数を削減して容易に装着することができる。
【００１４】
請求項４に記載の発明によれば、ライティングダクトの長手方向に沿って側部に形成された取付溝部には、給電用電極を備えた給電用凹部が設けられており、給電用電極が給電用凹部の内部に設けられているため、給電用電極に外部から不用意に手指を接触させるおそれがなく、感電の危険を防止することができる。また、ライティングダクトの取付溝部に照明器具の取付突部が係合するとともに、給電用凹部に集電用凸部が嵌合することにより、給電用電極と集電用端子とが接触して、ライティングダクトから照明器具に給電されるため、ライティングダクトに照明器具を装着するだけで、ライティングダクトと照明器具とを確実に導通状態とすることができ、装着が容易であるとともに導通状態が安定する。
【発明を実施するための最良の形態】
【００１５】
次に、発明の実施の形態について図を用いて説明する。
【実施例１】
【００１６】
本発明の実施例１に係るライティングダクト１と照明器具２について、図１乃至図１０を用いて説明する。本実施例に係るライティングダクト１と照明器具２は対になっており、ライティングダクト１に照明器具２を装着して一対の照明装置を構成するものである。尚、本願発明における照明器具には、照明器具本体がライティングダクト１に対して直接装着される照明器具と、ライティングダクトに対してプラグ等が装着され、プラグ等に照明器具本体が接続される照明器具と、が含まれる。このため、本願の特許請求の範囲及び明細書における「照明器具」の意味内容には、ライティングダクトに装着される「プラグ等」も含まれるものとする。
【００１７】
図１に示すように、ライティングダクト１は、１又は複数の照明器具２を装着して使用するものであり、装着された照明器具２に対して給電可能であって、かつ、照明器具２の装着位置を長手方向に沿って移動可能とするものである。ライティングダクト１は図示しない取付手段によって天井等に直接取り付けて使用することができ、あるいは天井等から吊り下げて使用することもできる。
【００１８】
図１に示すように、ライティングダクト１は長手方向に細長い形状であり、ライティングダクト本体１１はアルミニウムや合成樹脂素材等の細長板を接合して構成されている。図２に示すように、断面形状は略矩形状とし、内部には中空部分が形成されている。ライティングダクト１の断面形状は、照明器具２がライティングダクト１を挟んだ状態で装着できる程度に細く形成されていればよく、矩形に限定されない。天井等からの給電線や、天井等への取付手段等（図示せず）は内部の中空部分に収容される。
【００１９】
図１、図２に示すように、ライティングダクト１の両側部には、長手方向に沿ってそれぞれ取付溝部１２が形成される。取付溝部１２は、照明器具２の挿通部２３に形成された取付突部２４（図７参照）が移動自在に係合する部分であり、ライティングダクト本体１１の内側方向に窪んだ溝状部分である。本実施例における取付溝部１２は両端部に開放部１３を有し、開放部１３付近に当接部１４、退避部１５及び案内部１６を有している。
【００２０】
図１に示すように、取付溝部１２は、両端付近を除いた部分においてはライティングダクト１の底部から一定寸法の位置に直線状に形成されており、両側部とも同じ位置に形成される。取付溝部１２の断面形状は、図２に示すように、略Ｌ字状に屈曲しており、取付溝部１２の内側下部には給電用凹部１７が設けられている。外側の幅は、図２、図３に示すように寸法Ａ１であり、取付溝部１２の内側の幅は寸法Ｂ１である。照明器具２の取付突部２４の断面形状は図７に示すように、取付溝部１２の断面形状よりやや小さい略Ｌ字状に屈曲した形状であり、ライティングダクト１の取付溝部１２は、照明器具２の取付突部２４が移動自在に係合するものである。
【００２１】
図１、図３に示すように、取付溝部１２の両端部はライティングダクト本体１１の端部まで形成されており、両端部には開放部１３が形成されている。開放部１３においても外側の幅寸法Ａ１、内側の幅寸法Ｂ１を確保しており、照明器具２に形成される取付突部２４を取付溝部１２に対して進入及び退出させることを可能としている。
【００２２】
前記当接部１４は、取付溝部１２の両端部からやや中央部寄りに設けられており、取付溝部１２の下部を上方に向けて突出させている部分である。当接部１４は照明器具２に形成された取付突部２４が取付溝部１２に係合した状態において、照明器具２がライティングダクト１の端部に移動した際、取付突部２４の開放部１３側が当接することにより、照明器具２がライティングダクト１から不用意に脱落することを防止するためのものである。突出量は寸法Ｃとしている。
【００２３】
前記退避部１５は、取付溝部１２に形成された当接部１４からやや中央部寄りに設けられており、取付溝部１２の幅を上方に拡張させた部分である。退避部１５は、照明器具２の交換等のためにライティングダクト１から照明器具２を取り外す必要がある場合において、照明器具２を上方に移動させることにより、取付突部２４を退避部１５に移動させて当接部１４の上を通過させ、案内部１６から取付突部２４を退出させるためのものである。従って、退避部１５での幅寸法Ｄは、退避部１５に移動させた取付突部２４が当接部１４の上を通過できる寸法値とし、退避部１５の幅寸法Ｄは、例えば、当接部１４の寸法Ｃに取付溝部１２の幅寸法Ａ１を加えた寸法としている。また、退避部１５での長手方向の寸法Ｅは、退避部１５に取付溝部１２が収まるように取付突部２４の長手方向の寸法より長くしている。
【００２４】
取付溝部１２の両端部には、案内部１６が形成されている。案内部１６は、一端部が退避部１５に連通され、他端部が開放部１３であって、取付溝部１２に進入する照明器具２の取付突部２４を開放部１３から退避部１５及び取付溝部１２に案内し、また、取付溝部１２から退出する照明器具２の取付突部２４を取付溝部１２及び退避部１５から開放部１３に案内する部分である。案内部１６の幅寸法は、照明器具２の取付突部２４を案内させるため、他の取付溝部１２の寸法と同様にＡ１としている。案内部１６は当接部１４の上方で退避部１５と連通していることから、形成される位置は、取付溝部１２の中央部寄りの部分よりも上方に形成されるものである。
【００２５】
図２に示すように、取付溝部１２の内側下部に形成された給電用凹部１７は、照明器具２の取付突部２４に形成された集電用凸部２５（図１０参照）が嵌合する部分である。本実施例では、ライティングダクト１の両側に給電用凹部１７が設けられており、各給電用凹部１７の外側部において内側に向けて給電用の給電用電極１８がそれぞれ設けられている。給電用電極１８は取付溝部１２の当接部１４より中央部寄りの区間に設けられており、ライティングダクト本体１１内部に収容された給電線に接続されている。従って、照明器具２が当接部１４より中央部寄りに装着された状態において、ライティングダクト１から照明器具２に給電可能となっている。
【００２６】
次に照明器具２について説明する。本実施例の照明器具２は、ＬＥＤ（Ｌｉｇｈｔ  Ｅｍｉｔｔｉｎｇ  Ｄｉｏｄｅ）を用いた照明器具であり、装着されたライティングダクト１から給電を受けることが可能で、かつ、その装着位置をライティングダクト１の長手方向に沿って移動可能としたものである。図４乃至図７に示すように、本実施例に係る照明器具２は、プラグ等を介さず、ライティングダクト１に直接装着されるタイプのものである。外形形状は略円筒形状であり、図５（ｂ）、図６に示すように、５個のＬＥＤランプ３１が配設されたランプ収容部２２と、ランプ収容部２２の上方に形成される照明器具本体２１とから構成される。照明器具本体２１の上部略中央には、ライティングダクト１を挿通させる間隔を確保した挿通部２３が形成されている。
【００２７】
図７に示すように、照明器具本体２１の上部略中央に形成される挿通部２３は、断面略Ｕ字状の凹部であり、上部は開放されており、ライティングダクト１の略下半分を挿通しうる間隔と深さを有している。挿通部２３の間隔は、ライティングダクト１を挿通させた状態で、ライティングダクト１に沿って長手方向に移動できる程度に遊嵌される間隔とする。
【００２８】
図７に示すように、挿通部２３の内側には、ライティングダクト１に形成した取付溝部１２に係合する取付突部２４が、挿通部２３の内側に向けて突出するように形成されている。取付突部２４は挿通部２３の長手方向に沿って、両側とも同じ高さ位置に形成されている。取付突部２４の断面形状は、略Ｌ字状に屈曲した形状であり、取付突部２４の内側下方に向けて集電用凸部２５が設けられている。取付突部２４の形状は、ライティングダクト１の取付溝部１２の断面形状よりやや小さくし、照明器具２の取付突部２４がライティングダクト１の取付溝部１２に移動自在に係合するようにしている。従って、取付突部２４の外側の幅Ａ２を取付溝部１２の外側の幅Ａ１よりやや小さくし、取付突部２４の内側の幅Ｂ２を取付溝部１２の内側の幅Ｂ１よりやや小さくすることにより、取付突部２４の断面形状を取付溝部１２の断面形状よりやや小さくしている。
【００２９】
取付突部２４を形成する高さ方向の位置は、図８（ｂ）に示すように、取付突部２４が取付溝部１２の案内部１６に係合している状態でもライティングダクト１の下部が挿通部２３の下部に接触しないよう、充分上方に形成するものとする。また、ライティングダクト１に照明器具２が装着された状態では、取付溝部１２の下部と取付突部２４の下部とが摺接して照明器具２の重量をライティングダクト１が支えることとなるが、摺接する部分の面積は、広く確保するほどライティングダクト１に対して照明器具２の装着状態が安定するため好ましい。
【００３０】
図７、図１０に示すように、取付突部２４の内側下方に形成された集電用凸部２５は、ライティングダクト１の取付溝部１２に形成された給電用凹部１７に嵌合する部分である。本実施例では、照明器具２の挿通部２３の両側に集電用凸部２５が設けられており、各集電用凸部２５の外側において外側に向けて集電用端子２６がそれぞれ設けられている。集電用端子２６は照明器具本体２１内部に収容された点灯装置等に接続されており、ライティングダクト１に設けられた給電用電極１８に接触して給電されるものである。集電用端子２６は、給電用電極１８に対して付勢された状態で接触する構造を有しており、集電用端子２６と給電用電極１８との導通が安定するようにしている。
【００３１】
ここで、本実施例に係る照明器具２の排熱構造について説明する。図５（ａ）、図６に示すように、照明器具本体２１の内部には隔壁３２とフィン３３が形成されている。隔壁３２は照明器具本体２１の外壁３４から挿通部２３や中心部まで接続されて照明器具本体２１内部を区画しており、フィン３３は照明器具本体２１の外壁３４から中心方向に向けて突設されている。隔壁３２とフィン３３はそれぞれランプ収容部２２と接続されている。照明器具本体２１内部に隔壁３２とフィン３３が設けられていることにより、照明器具２内部の表面積が拡大されるとともに、ランプ収容部２２のＬＥＤランプ３１から発生した熱が隔壁３２とフィン３３を伝わって照明器具本体２１全体に伝導する。また、照明器具本体２１の上面は開放され、ランプ収容部２２と照明器具本体２１との間には、内部に連通するスリット３５が形成されている。このスリット３５から照明器具２内部に外気が取り入れられて上面から排出されることにより、照明器具２内の空気流量が飛躍的に増加することとなる。このため、隔壁３２、フィン３３が照明器具本体２１内部に収容されていながら、照明器具本体２１内を外気が通過するため、外気が隔壁３２、フィン３３及び外壁３４に接触してこれらを効果的に冷却し、照明器具２の排熱を効果的に行うことができる。また、隔壁３２、フィン３３が照明器具本体２１内部に収容されているため、照明器具２の外観体裁を向上させることができ、しかも、デザインの自由度が増すため、趣味性の高い照明器具２とすることができる。
【００３２】
次に、ライティングダクト１に照明器具２を装着する場合と、取り外す場合について説明する。まず、ライティングダクト１に照明器具２を装着する場合、図８（ａ）に示すように、ライティングダクト１の取付溝部１２の開放部１３と、照明器具２の取付突部２４の高さを合わせ、取付溝部１２の開放部１３から案内部１６に向けて、取付突部２４を進入させていく。図８（ｂ）に示すように、取付突部２４を進入させて行き、取付突部２４を退避部１５に進入させる。装着する場合は取付突部２４は取付溝部１２の当接部１４に当接しないため、照明器具２を案内部１６からライティングダクト１の中央部方向に押動して移動させるだけで、取付突部２４は当接部１４の上を通過することができる。図８（ｃ）に示すように、照明装置の取付突部２４がライティングダクト１の当接部１４を通過すれば、取付突部２４が取付溝部１２に係合するとともに、給電用凹部１７に集電用凸部２５が嵌合することとなり、給電用電極１８と集電用端子２６とが接触して、ライティングダクト１から照明器具２に給電可能となる。照明器具２を移動させて適切な位置を決定すれば、照明器具２の装着が完了する。複数の照明器具２を装着する場合は、各照明器具２について、同様の操作を順次行えばよい。尚、複数の照明器具２を装着する場合は、重量バランスが取れるように照明器具２を配置することが好ましく、均等な配置が容易となるようにライティングダクト１に装着位置を表示してもよい。また、ライティングダクト１と照明器具２とが摺接する部分にわずかな凹凸を形成し、凹凸が嵌合することによって均等な配置位置に装着されたことを認識できるようにしてもよい。
【００３３】
次に、ライティングダクト１から照明器具２を取り外す場合について、図９（ａ）乃至（ｃ）を用いて説明する。まず図９（ａ）に示すように、ライティングダクト１に装着された照明器具２を押動してライティングダクト１の端部側に移動させる。図９（ｂ）に示すように、照明器具２の取付突部２４がライティングダクト１の当接部１４に当接すると、そのままでは取付突部２４は当接部１４を通過できないため、照明器具２を持ち上げて上方に移動させ、取付突部２４を退避部１５に移動させる。取付突部２４を退避部１５に移動させれば、取付突部２４は当接部１４の上を通過でき、案内部１６に移動可能となる。図９（ｃ）に示すように、照明器具２を持ち上げた状態のまま、取付突部２４を案内部１６に移動させ、更に端部側に移動させることにより、取付突部２４を開放部１３から退出させることができ、ライティングダクト１からの照明器具２の取り外しが完了する。
【００３４】
実施例１によれば、ライティングダクト１は、長手方向に沿って側部に形成され、少なくとも一端部がライティングダクト１の端部まで形成されて開放部１３が形成され、照明器具２に形成された取付突部２４が開放部１３から進入及び退出可能であるとともに、取付突部２４を移動自在に係合させる取付溝部１２、を備えているため、ライティングダクト１に照明器具２を装着する場合、照明器具２の取付突部２４をライティングダクト１の側部に形成した取付溝部１２の開放部１３から進入させるだけで、照明器具２の取付突部２４をライティングダクト１の取付溝部１２に係合させ、ライティングダクト１に照明器具２を装着することができる。従って、ライティングダクト１に照明器具２を装着するための手数を削減して容易に装着することができる。
また、照明器具２の交換等のためにライティングダクト１から照明器具２を取り外す必要がある場合には、照明器具２をライティングダクト１の開放部１３側に移動させ、照明器具２の取付突部２４をライティングダクト１の取付溝部１２の開放部１３から退出させる工程を行うだけで、ライティングダクト１から容易に照明器具２を取り外すことができる。
【００３５】
また、ライティングダクト１に形成した取付溝部１２は、照明器具２に形成された取付突部２４の開放部１３側に当接する当接部１４と、照明器具２の取付突部２４を上方に退避させつつ当接部１４上を通過可能とする退避部１５と、一端部が退避部１５に連通され、他端部が開放部１３である案内部１６と、を備えているため、ライティングダクト１に装着された照明器具２は、衝撃等によってライティングダクト１の案内部１６側に移動した場合であっても、照明器具２の取付突部２４が取付溝部１２に形成した当接部１４に当接することにより、照明器具２がライティングダクト１から不用意に脱落することを防止することができる。
また、照明器具２の交換等のためにライティングダクト１から照明器具２を取り外す必要がある場合には、照明器具２の取付突部２４が当接部１４に当接する位置で、照明器具２を上方に移動させることにより、取付突部２４を退避部１５に移動させて当接部１４の上を通過させ、案内部１６から取付突部２４を退出させることができるため、照明器具２をライティングダクト１から容易に取り外すことができる。
【００３６】
また、ライティングダクト１の長手方向に沿って側部に形成された取付溝部１２には、給電用電極１８を備えた給電用凹部１７が設けられており、給電用電極１８が給電用凹部１７の内部に設けられているため、給電用電極１８に外部から不用意に手指を接触させるおそれがなく、感電の危険を防止することができる。また、ライティングダクト１の取付溝部１２に照明器具２の取付突部２４が係合するとともに、給電用凹部１７に集電用凸部２５が嵌合することにより、給電用電極１８と集電用端子２６とが接触して、ライティングダクト１から照明器具２に給電されるため、ライティングダクト１に照明器具２を装着するだけで、ライティングダクト１と照明器具２とを確実に導通状態とすることができ、装着が容易であるとともに導通状態が安定する。
【実施例２】
【００３７】
次に、本発明の実施例２に係るライティングダクト１と照明器具２について、図１１を用いて説明する。実施例２では、給電用凹部１７がライティングダクト１の一方の側のみ形成されており、これに嵌合する照明器具２の集電用凸部２５も一方の側のみに形成されている点が前記実施例１とは大きく異なっている。前記実施例１と同一部分は同一符号を付して詳しい説明は省略する。
【００３８】
図１１に示すように、ライティングダクト１の両側に取付突部２４が設けられており、そのうち一方の取付溝部１２（図示右側）にのみ、給電用凹部１７が形成されている。給電用凹部１７が形成されている位置は取付溝部１２の下部であり、給電用凹部１７の内側には、対向する部分に給電用電極１８がそれぞれ設けられている。そして、照明器具２の挿通部２３の内側には取付突部２４が内側に向けて対向するように形成されている。そのうち一方の取付突部２４（図示右側）にのみ、集電用凸部２５が形成されている。集電用凸部２５が形成されている位置は、取付突部２４の下部であり、集電用凸部２５の両側に集電用端子２６がそれぞれ設けられている。
【００３９】
上記ライティングダクト１と照明器具２の装着及び取り外しは、実施例１に係るライティングダクト１と照明器具２の装着及び取り外しと同様であり、容易に装着、取り外しすることができる。また、ライティングダクト１に照明器具２が装着された状態では、取付溝部１２の下部と取付突部２４の下部が摺接して照明器具２の重量をライティングダクト１が支えることとなるが、摺接する部分の面積は実施例１と比較して広く確保することができるため、ライティングダクト１に対する照明器具２の装着状態が安定するという効果がある。
【実施例３】
【００４０】
次に、本発明の実施例３に係るライティングダクト１と照明器具２について、図１２を用いて説明する。実施例３では、給電用凹部１７がライティングダクト１の一方の側のみ形成されており、これに嵌合する照明器具２の集電用凸部２５も一方の側のみに形成されている点は前記実施例２と共通するが、給電用電極１８と集電用端子２６の位置が実施例２とは大きく異なっている。前記実施例１、２と同一部分は同一符号を付して詳しい説明は省略する。
【００４１】
図１２に示すように、ライティングダクト１の両側に取付突部２４が設けられており、そのうち一方の取付溝部１２（図示右側）にのみ、給電用凹部１７が形成されている。給電用凹部１７が形成されている位置は取付溝部１２の上部であり、給電用凹部１７の内側には、対向する部分に給電用電極１８がそれぞれ設けられている。そして、照明器具２の挿通部２３の内側には取付突部２４が内側に向けて対向するように形成されている。そのうち一方の取付突部２４（図示右側）にのみ、集電用凸部２５が形成されている。集電用凸部２５が形成されている位置は、取付突部２４の上部であり、集電用凸部２５の両側に集電用端子２６がそれぞれ設けられている。
【００４２】
上記ライティングダクト１と照明器具２の装着及び取り外しは、実施例１、２に係るライティングダクト１と照明器具２の装着及び取り外しと同様であり、容易に装着、取り外しすることができる。また、ライティングダクト１に照明器具２が装着された状態では、取付溝部１２の下部と取付突部２４の下部が摺接して照明器具２の重量をライティングダクト１が支えることとなるが、摺接する部分の面積は実施例１と比較して広く確保することができるため、ライティングダクト１に対する照明器具２の装着状態が安定するという効果がある。
【００４３】
本発明の実施例は上記各実施例に限定されない。例えば、上記実施例ではライティングダクト１に照明器具本体２１が直接装着されているが、プラグを介して照明装置本体が装着される構成でもよい。この場合、ライティングダクト１とプラグに本願発明に係る装着構造が適用され、プラグに照明装置本体が接続される構成となる。
【００４４】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【図面の簡単な説明】
【００４５】
【図１】実施例１に係るライティングダクト１と照明器具２の（ａ）側面図、（ｂ）平面図。
【図２】図１のＩＩ−ＩＩ線の位置においてライティングダクト１を切断した断面図。
【図３】ライティングダクト１の端部の拡大側面図。
【図４】実施例１に係る照明器具２の側面図。
【図５】照明器具２の（ａ）平面図、（ｂ）底面図。
【図６】図５のＶＩ−ＶＩ線の位置において照明器具２を切断した断面図。
【図７】図５のＶＩＩ−ＶＩＩ線の位置において照明器具２を切断した一部断面図。
【図８】ライティングダクト１に照明器具２を装着する状態を示す側面図。
【図９】ライティングダクト１から照明器具２を取り外す状態を示す側面図。
【図１０】図８のＸ−Ｘ線の位置においてライティングダクト１と照明器具２を切断した一部断面図。
【図１１】実施例２に係るライティングダクト１と照明器具２の一部断面図。
【図１２】実施例３に係るライティングダクト１と照明器具２の一部断面図。
【符号の説明】
【００４６】
１        ライティングダクト
１１      ライティングダクト本体
１２      取付溝部
１３      開放部
１４      当接部
１５      退避部
１６      案内部
１７      給電用凹部
１８      給電用電極
２        照明器具
２１      照明器具本体
２２      ランプ収容部
２３      挿通部
２４      取付突部
２５      集電用凸部
２６      集電用端子
３１      ＬＥＤランプ
３２      隔壁
３３      フィン
３４      外壁
３５      スリット
【図１】
2009032572.tif 000003
【図２】
2009032572.tif 000004
【図３】
2009032572.tif 000005
【図４】
2009032572.tif 000006
【図５】
2009032572.tif 000007
【図６】
2009032572.tif 000008
【図７】
2009032572.tif 000009
【図８】
2009032572.tif 000010
【図９】
2009032572.tif 000011
【図１０】
2009032572.tif 000012
【図１１】
2009032572.tif 000013
【図１２】
2009032572.tif 000014